(57)【要約】      （修正有）【課題】傷口を皮膜する薬効を備えたシート状貼付剤であって、貼付しやすくするため平滑性を向上させた貼付剤の構造を提供する。【解決手段】少なくとも１つの貼付剤ユニットを含み、各貼付剤ユニット１０が、離型層２０と、前記離型層上を被覆する被覆材層３０と、前記被覆材層上を被覆する隔離層４０と、前記隔離層上を被覆する支持層５０を含む。前記離型層２０が前記被覆材層３０を保護するために用いられ、前記隔離層が前記被覆材層と外部環境の接触を隔離するために用いられ、前記支持層の外側が延伸されてサイドウイング部５０１を設ける。使用時は前記サイドウイング部を施力点して用い、前記被覆材層と前記離型層を分離すると共に、前記被覆材層を皮膚に貼付したとき、前記サイドウイング部を施力点として、前記隔離層上を被覆する支持層を分離する。【選択図】図１
0003180038.tif 000002
【実用新案登録請求の範囲】
【請求項１】
平滑性を有する貼付剤の構造であって、少なくとも１つの貼付剤ユニットを含み、各貼付剤ユニットが、離型層と、前記離型層上を被覆する被覆材層と、前記被覆材層上を被覆する隔離層と、前記隔離層上を被覆する支持層を含み、前記離型層が前記被覆材層を保護するために用いられ、前記隔離層が前記被覆材層と外部環境の接触を隔離するために用いられ、前記支持層の外側が延伸されてサイドウイング部が設けられ、使用時は前記サイドウイング部を施力点して用い、前記被覆材層と前記離型層を分離すると共に、前記被覆材層を皮膚に貼付したとき、前記サイドウイング部を施力点として、前記隔離層上を被覆する支持層を分離することを特徴とする、平滑性を有する貼付剤の構造。
【請求項２】
前記少なくとも１つの貼付剤ユニットを二列に並べて複数の貼付剤ユニットを形成し、前記複数の貼付剤ユニットの左右外側にそれぞれサイドウイング部を設けたことを特徴とする、請求項１に記載の平滑性を有する貼付剤の構造。
【請求項３】
前記貼付剤ユニットのパターンが幾何図形または不規則な図形から構成されることを特徴とする、請求項１に記載の平滑性を有する貼付剤の構造。
【請求項４】
前記離型層が非透明または透明の材質から成ることを特徴とする、請求項1に記載の平滑性を有する貼付剤の構造。
【請求項５】
前記離型層が、ポリエチレンテレフタラート（ｐｏｌｙｅｔｈｙｌｅｎｅ  ｔｅｒｅｐｈｔｈａｌａｔｅ）、ポリプロピレン（ｐｏｌｙｐｒｏｐｙｌｅｎｅ）、ポリエチレン（ｐｏｌｙｅｔｈｙｌｅｎｅ）、離型ペーパーまたはシリコンフィルムを含むことを特徴とする、請求項１に記載の平滑性を有する貼付剤の構造。
【請求項６】
前記被覆材層がさらに浸出液吸収材料層を含むことを特徴とする、請求項１に記載の平滑性を有する貼付剤の構造。
【請求項７】
前記浸出液吸収材料層が親水性コロイド、コットンパッド、カルボキシメチルセルロースナトリウムまたは薬効を含む被覆材であることを特徴とする、請求項６に記載の平滑性を有する貼付剤の構造。
【請求項８】
前記隔離層の材質が、ポリウレタン（ｐｏｌｙｕｒｅｔｈａｎｅ）または防水性を備えたフィルムを含むことを特徴とする、請求項１に記載の平滑性を有する貼付剤の構造。
【請求項９】
前記支持層の材質が、ポリプロピレン、ポリエチレン、離型ペーパーまたはシリコンフィルムを含むことを特徴とする、請求項１に記載の平滑性を有する貼付剤の構造。
【請求項１０】
前記被覆材の隔離層と前記支持層が接着剤または低アレルギー性接着剤で結合されることを特徴とする、請求項１に記載の平滑性を有する貼付剤の構造。
【請求項１１】
前記被覆材層の隔離層が透明フィルム状であり、皮膚に貼付したときインビジブル効果を有することを特徴とする、請求項１に記載の平滑性を有する貼付剤の構造。
【請求項１２】
前記被覆材層の厚さが落差のない形態であり、皮膚に貼付したとき平滑になるよう構成されたことを特徴とする、請求項１に記載の平滑性を有する貼付剤の構造。
【請求項１３】
前記被覆材層の厚さ範囲が０.０２〜２ｍｍであることを特徴とする、請求項１に記載の平滑性を有する貼付剤の構造。
【請求項１４】
前記被覆材層の幅の範囲が０.５〜１.５ｃｍであることを特徴とする、請求項１に記載の平滑性を有する貼付剤の構造。
【考案の詳細な説明】
【技術分野】
【０００１】
本考案は貼付剤の構造の改良に関し、特に、ニキビ用パッチや薬効を備えた貼付剤など、傷口を被覆する貼付剤に適用される、シート状貼付剤に関する。
【背景技術】
【０００２】
一般に貼付剤の主な構造は、粘着剤により離型層（被覆層）で親水性コロイドまたは薬効を備えた貼付剤の表面を覆い、傷口または皮膚に貼付するとき、使用者が離型層を直接剥離して、親水性コロイドまたは薬効を備えた貼付剤を皮膚表面に貼り付けるが、貼付の過程において、シート状貼付剤の設計及び材質が原因で、使用者にとって使用しにくいことがよくある。
【０００３】
例えば、従来の貼付剤の構造の代表例として中華民国実用新案公告第Ｍ３７１００９号を示すが、この案は薬用インビジブル貼付剤を提供するものであり、薬効層が厚く周縁が薄い設計により、粘着剤表層周縁の粘着部を皮膚に平滑に貼付して脱落しにくくしたことを特徴としている。
【０００４】
また、別の従来の貼付剤の構造の代表例として、中華民国実用新案公告第Ｍ３１１４０６号を示すが、この案は複合式貼付剤を提供するものであり、離型層の面積が粘着剤層の面積より大きいことにより、使用者が離型層を剥がして除去し、粘着剤層を露出させて貼付しやすくしたことを特徴としている。
【０００５】
上述の従来の貼付剤の構造は使用者自身のニーズに応じて適切な貼付剤を選択できるが、これら従来の貼付剤の構造には設計上優れない欠点が存在する。
１. コロイドまたは薬効を備えた貼付剤を被覆する離型層が剥離しやすい設計ではないため、剥離時に手指の油や汚れが貼付剤に付着しやすく、且つ前記貼付剤の外縁箇所が剥離過程で変形し、皮膚に貼付したときに平坦にならないことがある。
２. コロイドまたは薬効を備えた貼付剤の厚さと材質が皮膚の外観に影響し、例えば一般的なコロイド及び薬効を備えた貼付剤の厚さは比較的厚く、あるいは中央部分が比較的厚く、周囲が比較的薄い設計となっているが、この設計は使用者が化粧を施しにくく、かつ化粧品がコロイド貼付剤の表面に固定されにくい。
３. コロイドまたは薬効を備えた貼付剤を皮膚に貼付するとき、その表面が露出された状態であり、一定時間貼付すると、コロイドまたは薬効を備えた貼付剤が脱落しやすい。
【０００６】
このため、本考案の考案者は上述の欠点に鑑み、使用者のために平滑性を有する貼付剤の構造の改良に至ったものである。
【先行技術文献】
【特許文献】
【０００７】
【特許文献１】中華民国実用新案公告第Ｍ３７１００９号明細書
【特許文献２】中華民国実用新案公告第Ｍ３１１４０６号明細書
【考案の概要】
【考案が解決しようとする課題】
【０００８】
本考案の目的は、従来の貼付剤の構造を改良して平滑で剥離しやすく、貼付しやすい貼付剤の構造とし、特に、本考案の各貼付剤ユニットの支持層（ｓｕｐｐｏｒｔｉｎｇ  ｆｉｌｍ）の外側にサイドウイング部を設け、使用時に隔離層と結合された被覆材層を容易に分離できるようにすることで、取り外しが容易な貼付剤とすると共に、本考案の貼付剤の構造の被覆材層は厚さが均一で、かつ隔離層と結合されており、化粧を施しやすく、貼付剤が脱落しにくい効果を達する、平滑性を有する貼付剤の構造を提供することにある。
【課題を解決するための手段】
【０００９】
本考案の貼付剤（被覆材）の構造の厚さ及び貼付設計は、注射用貼付剤、一般の傷口用貼付剤、または内視鏡傷口用貼付剤に用いることができる（また、これらに限らない）。
【００１０】
本考案の平滑性を有する貼付剤の構造は、少なくとも１つの貼付剤ユニットを含み、各貼付剤ユニットが、離型層と、前記離型層上を被覆する被覆材層と、前記被覆材層上を被覆する隔離層と、前記隔離層上を被覆する支持層を含み、前記離型層が前記被覆材層を保護するために用いられ、前記隔離層が前記パッチ剤層と外部環境の接触を隔離するために用いられ、前記支持層の外側が延伸されてサイドウイング部が設けられ、使用時は前記サイドウイング部を施力点して用い、前記パッチ剤層と前記離型層を分離すると共に、前記パッチ剤層を皮膚に貼付したとき、前記サイドウイング部を施力点として、前記隔離層上を被覆する支持層を分離する。
【００１１】
具体的な一実施例において、本考案の貼付剤の構造は、前記の少なくとも１つの貼付剤ユニットを二列に並べた複数の貼付剤ユニットとし、前記複数の貼付剤ユニットの左右外側辺にそれぞれサイドウイング部が設けられ、そのうち前記貼付剤ユニットのパターンは個人のニーズに応じて幾何図形や不規則な図形から構成することができる。
【００１２】
具体的な一実施例において、本考案の貼付剤の構造の離型層は、前記被覆材層の離型フィルムとすることで、前記被覆材層を保護して汚染されにくくすることができ、そのうち前記離型層は非透明または透明の材質から構成でき、その材質はポリエチレンテレフタラート（ｐｏｌｙｅｔｈｙｌｅｎｅ  ｔｅｒｅｐｈｔｈａｌａｔｅ）、ポリプロピレン（ｐｏｌｙｐｒｏｐｙｌｅｎｅ）、ポリエチレン（ｐｏｌｙｅｔｈｙｌｅｎｅ）、離型ペーパーまたはシリコンフィルムを含む。
【００１３】
具体的な一実施例において、本考案の貼付剤の構造の被覆材層はさらに浸出液吸収材料層を含み、そのうち前記浸出液吸収材料層は親水性コロイド、コットンパッド、カルボキシメチルセルロースナトリウムまたは薬効を含む被覆材とすることができる。
【００１４】
具体的な一実施例において、本考案の貼付剤の構造の前記隔離層の材質は、ポリウレタン（ｐｏｌｙｕｒｅｔｈａｎｅ）、または防水性を備えたフィルムを含み、前記支持層の材質はポリプロピレン、ポリエチレン、離型ペーパーまたはシリコンフィルムを含む。
【００１５】
具体的な一実施例において、本考案のパッチ剤の隔離層と前記支持層は接着剤または低アレルギー性接着剤で結合される。
【００１６】
本考案は先行技術の効果と比較して、本考案の被覆材層の隔離層が透明フィルム状であり、皮膚に貼付したときインビジブル効果がある。また、前記被覆材層の厚さは落差がない形態であり、そのうち前記被覆材層の厚さ範囲は０.０２〜２ｍｍとし、かつ幅の範囲は０.５〜１.５ｃｍとすることができ（また、これに限定されない）、皮膚に貼付したときに平滑になる効果がある。本考案の被覆材層は使用者のニーズに応じてその厚さ及び幅の範囲を変えることができる。
【００１７】
本考案の上述及びその他目的と利点については、以下の具体的な実施例と図面を組み合わせた詳細な説明により、理解されるであろう。
【図面の簡単な説明】
【００１８】
【図１】本考案の単一の貼付剤ユニットの立体分解図である。
【図２】貼付剤ユニットの貼付動作を示す概略図である。
【図３】本考案の複数の貼付剤ユニットの外観図である。
【考案を実施するための形態】
【００１９】
本考案の技術的特徴及び実用的効果を詳細に理解し、明細書の内容に基づいて実施できるようにするため、図面で示すような最良の実施例を後述し詳細に説明する。
【００２０】
図１に示すように、本考案の単一の貼付剤ユニット１０は、離型層２０と、前記離型層２０上を被覆する被覆材層３０と、前記被覆材層３０上を被覆する隔離層４０と、前記隔離層４０上を被覆する支持層５０を含む４層を結合して構成され、前記離型層２０が前記被覆材層３０を保護するために用いられ、前記隔離層４０が前記被覆材層３０と外部環境の接触を隔離するために用いられ、前記支持層５０の外側が延伸されてサイドウイング部５０１が設けられ、使用者が被覆材層（隔離層を含む）と離型層を容易に分離することができる。
【００２１】
また、図１と図２も、単一のニキビ用パッチで皮膚を覆う過程を実施例として示してあり、本実施例の貼付剤ユニット１０は使用時にまず支持層５０のサイドウイング部５０１を施力点として、前記被覆材層３０、隔離層４０及び支持層５０の３層の結合体を前記離型層２０から分離し（図示しない）、３層の結合体を皮膚上に貼付し、続いて、片手の指２０１で前記支持層のサイドウイング部５０１を挟み、前記サイドウイング部を再度施力点として、前記隔離層４０上を被覆する支持層５０を分離し、最後に被覆材層３０と隔離層４０が皮膚の上に緊密に貼付される。前記隔離層の機能は、図２に示すように、パッチ剤層を皮膚から脱落しにくくすると共に、被覆材層が汚れないようさらに保護することができる。
【００２２】
本実施例のニキビ用パッチに使用する被覆材層３０は親水性コロイドであり、その厚さは落差のない形態で、最良の厚さ範囲は０.０２〜２ｃｍ、幅は０.５〜１.５ｃｍであり、皮膚に貼付したとき平滑になる効果を備えている。このほか、前記親水性コロイドのもう１つの機能として、創傷の傷口の癒合環境を保持し、傷口の癒合時間を短縮すると共に、抗菌効果を備え、感染の危険を減少することができる。
【００２３】
本考案の貼付剤の構造は、ニキビ用パッチに応用できるほか、注射用貼付剤、一般的な傷口用貼付剤または内視鏡の傷口用貼付剤等の貼付剤の構造に適用することができ、使用する被覆材は必要に応じてコットンパッド、カルボキシメチルセルロースナトリウム、または薬効を含む被覆材に変えることができる。
【００２４】
本考案の貼付剤ユニットは１つに限定されず、複数としてもよく、図３を別の実施例とし、複数の貼付剤ユニット１０を二列に並べて製造し、そのうち前記離型層の辺縁または中間に切れ目を設け、１つの貼付剤ユニットを使用するときは、使用者が各貼付剤ユニットの周囲に沿って裂くことができ、はさみやナイフなどその他工具を準備せず、貼付剤ユニットを取り外すことができる。さらに、各貼付剤ユニットの左右外側辺にそれぞれサイドウイング部を設け、その使用方法は上述の単一の貼付剤ユニットと同じである。
【００２５】
上述のように、本考案の貼付剤の構造は使用者が容易に裂いて使用することができ、支持層の設計により隔離層を備えた被覆材層は容易に皮膚上に貼付でき、且つ隔離層を備えた被覆材は外部から汚れることがない。
【００２６】
以上の説明は、単に本考案の最良の実施例を示したまでであり、本考案に対していかなる形式上の制限も構成せず、当業者が本考案の提示した技術的特徴の範囲を逸脱せずに、本考案の開示する技術内容を利用して部分的な変化や修飾等を形成した同等効果の実施例は、本考案の技術的特徴の内容を逸脱しない場合、いずれも本考案の技術的特徴の範囲内に含まれる。
【符号の説明】
【００２７】
１０    単一の貼付剤ユニット
２０    離型層
３０    被覆材層
４０    隔離層
５０    支持層
５０１  サイドウイング部
２０１  片手の指
【図１】
0003180038.tif 000003
【図２】
0003180038.tif 000004
【図３】
0003180038.tif 000005